(57)【要約】【課題】  冗長構成の無線送信機の交換に際する再調整が不要で、かつ運用を停止することなく、送信レベルの調整を行うことが可能な無線装置を提供する。【解決手段】  無線送信機１のＣＰＵ１１は、メモリ１２に記憶された自系統に対応するメモリアドレスのデータを読出して可変減衰器１４に反映するほか、実装位置信号１３１と他系統からのマスタスレーブ信号１２２との状態を基にデータバス１１０より受信した他系統の送信レベル設定値をメモリ１２の指定されたアドレスに記憶させる。ＣＰＵ１１は、自系統の起動時において、マスタスレーブ信号１２２の状態によって、自系統及び他系統の送信レベル設定値をメモリ１２から読取り、データバス１１０を通じて他系統の無線送信機に情報を転送する。【選択図】      図２
2008147722.tif 000002
【特許請求の範囲】
【請求項１】
冗長構成をとる第１及び第２の無線送信機からなる無線装置であって、
前記第１及び第２の無線送信機各々は、
自系及び他系各々の送信レベルの調整値を記憶するメモリ手段と、他系の再実装時に前記メモリ手段に記憶した前記自系及び他系各々の送信レベルの調整値を再実装された他系に送信する手段と、自系の再実装時に前記他系から送られてきた前記自系及び他系各々の送信レベルの調整値を前記メモリ手段に記憶する手段とを有することを特徴とする無線装置。
【請求項２】
前記第１及び第２の無線送信機各々は、故障による再実装時に前記故障の発生前の送信レベルを自系の出力に反映することを特徴とする請求項１記載の無線装置。
【請求項３】
前記第１及び第２の無線送信機各々は、マスタ及びスレーブの認識を行う手段と、自系が前記マスタであると判定した時に前記メモリ手段に記憶した前記自系及び他系各々の送信レベルの調整値を他系に送信する手段とを含み、
前記第１及び第２の無線送信機各々の間で前記自系及び他系各々の送信レベルの調整値を共有することを特徴とする請求項１または請求項２記載の無線装置。
【請求項４】
前記マスタ及びスレーブの認識を行う手段は、前記第１及び第２の無線送信機各々の実装位置を認識するための実装位置情報を基に前記マスタ及びスレーブの認識を行うことを特徴とする請求項３記載の無線装置。
【請求項５】
前記マスタ側の故障時に、前記スレーブ側をマスタとして前記スレーブ側のメモリ手段に記憶した前記自系及び他系各々の送信レベルの調整値を再実装された他系に送信することを特徴とする請求項３または請求項４記載の無線装置。
【請求項６】
前記第１及び第２の無線送信機の出力する無線信号を出力端子において等振幅・同位相で合成する合成器を含み、前記合成器で合成された無線信号を前記出力端子に出力することを特徴とする請求項１から請求項５のいずれか記載の無線装置。
【請求項７】
冗長構成をとる第１及び第２の無線送信機からなる無線装置に用いる送信レベル調整方法であって、
前記第１及び第２の無線送信機各々が、他系の再実装時に、自系及び他系各々の送信レベルの調整値を記憶するメモリ手段に記憶した前記自系及び他系各々の送信レベルの調整値をその再実装された他系に送信する処理と、自系の再実装時に、前記他系から送られてきた前記自系及び他系各々の送信レベルの調整値を前記メモリ手段に記憶する処理とを実行することを特徴とする送信レベル調整方法。
【請求項８】
前記第１及び第２の無線送信機各々が、故障による再実装時に前記故障の発生前の送信レベルを自系の出力に反映することを特徴とする請求項７記載の送信レベル調整方法。
【請求項９】
前記第１及び第２の無線送信機各々が、マスタ及びスレーブの認識を行う処理と、自系が前記マスタであると判定した時に前記メモリ手段に記憶した前記自系及び他系各々の送信レベルの調整値を他系に送信する処理とを実行し、
前記第１及び第２の無線送信機各々の間で前記自系及び他系各々の送信レベルの調整値を共有することを特徴とする請求項７または請求項８記載の送信レベル調整方法。
【請求項１０】
前記第１及び第２の無線送信機各々が、前記マスタ及びスレーブの認識を行う処理において、前記第１及び第２の無線送信機各々の実装位置を認識するための実装位置情報を基に前記マスタ及びスレーブの認識を行うことを特徴とする請求項９記載の送信レベル調整方法。
【請求項１１】
前記マスタ側の故障時に、前記スレーブ側をマスタとして前記スレーブ側のメモリ手段に記憶した前記自系及び他系各々の送信レベルの調整値を再実装された他系に送信することを特徴とする請求項９または請求項１０記載の送信レベル調整方法。
【請求項１２】
前記第１及び第２の無線送信機の出力する無線信号を合成器にて出力端子において等振幅・同位相で合成し、前記合成器で合成された無線信号を前記出力端子に出力することを特徴とする請求項７から請求項１１のいずれか記載の送信レベル調整方法。
【請求項１３】
冗長構成をとる第１及び第２の無線送信機からなる無線装置において前記第１及び第２の無線送信機各々が実行するプログラムであって、
前記第１及び第２の無線送信機各々の中央処理装置に、他系の再実装時に、自系及び他系各々の送信レベルの調整値を記憶するメモリ手段に記憶した前記自系及び他系各々の送信レベルの調整値をその再実装された他系に送信する処理と、自系の再実装時に、前記他系から送られてきた前記自系及び他系各々の送信レベルの調整値を前記メモリ手段に記憶する処理とを実行させるためのプログラム。
【発明の詳細な説明】
【技術分野】
【０００１】
本発明は無線装置及びそれに用いる送信レベル調整方法並びにそのプログラムに関し、特に冗長構成を有する無線送信機を用いた無線装置に関する。
【背景技術】
【０００２】
従来、無線装置においては、図１に示すように、通常の運用状態における冗長構成を有する無線送信機を用いる構成がある（例えば、特許文献１参照）。図１において、無線送信機１，２各々は同じハードウェアで構成されているため、故障等に際しては別の新しい無線送信機を実装することによって、その運用を継続することができる。
【０００３】
ここで、無線送信機１，２は、通常、その送信レベルが工場で調整されるため、無線装置本体の出荷時には無線特性規定に沿った送信レベルを有している。しかしながら、無線送信機の故障等に際しては、運用中に別の新しい無線送信機と差し替えて運用される場合がある。
【０００４】
この場合、新しい無線送信機は単体もしくは別の無線装置で送信レベルが調整されているため、運用中の無線装置の内部損失等が考慮されていない送信レベルであり、実装後、送信レベルの再調整を実施する必要がある。内部損失とは、図１の（ｂ）から（ａ）、及び（ｃ）から（ａ）への通過損失を示し、この値は通常、ばらつきが存在するためである。また、その調整行為のため、無線装置の運用を一時的に停止して、送信レベル調整を行っている。
【０００５】
【特許文献１】特開２００５−３４８１０５号公報
【発明の開示】
【発明が解決しようとする課題】
【０００６】
上述した従来の無線装置では、並列運転を行う冗長構成をとる無線送信機、一つの無線信号の生成・増幅を２台の無線送信機の並列冗長運転によって行う際の無線送信機の送信レベル調整に関連して、片系の無線送信機の故障に際して新たな代替の新しい無線送信機を実装して運用を継続している。
【０００７】
しかしながら、従来の無線装置では、実装される装置固有の通過損失のばらつき等によって運用中の片系の無線送信機の送信レベルとの間にずれが生じる。このずれの差分量は新しい無線送信機の起動時に反映されていないため、通常の場合、システムを停止して、新しい無線送信機の送信レベルを再調整することが行われる。その際、調整する期間、サービスが停止されることが問題となる。
【０００８】
同様に、運用中のサービス断を回避して運用する方法としては、上記の特許文献１に記載の技術があるが、この技術では、無線システムの信頼性を向上する方法として、送信装置を並列運転して構成する方法が開示されている。この特許文献１記載の技術の運用構成は、ホットスタンバイ構成にて説明を行っているため、無線信号の瞬断が最短時間に抑えられる。
【０００９】
しかしながら、特許文献１記載の技術では、運用時、特に新しい送信装置の後実装時のレベル調整という面では、上記と同様の問題が発生する課題が考慮されておらず、運用中に送信レベル調整を行うことになり、無線信号の品質の劣化や、電波法等の無線特性規格を一時的にでも満足できないケースが発生するという問題がある。
【００１０】
そこで、本発明の目的は上記の問題点を解消し、冗長構成の無線送信機の交換に際する再調整が不要で、かつ運用を停止することなく、送信レベルの調整を行うことができる無線装置及びそれに用いる送信レベル調整方法並びにそのプログラムを提供することにある。
【課題を解決するための手段】
【００１１】
本発明による無線装置は、冗長構成をとる第１及び第２の無線送信機からなる無線装置であって、
前記第１及び第２の無線送信機各々は、
自系及び他系各々の送信レベルの調整値を記憶するメモリ手段と、他系の再実装時に前記メモリ手段に記憶した前記自系及び他系各々の送信レベルの調整値を再実装された他系に送信する手段と、自系の再実装時に前記他系から送られてきた前記自系及び他系各々の送信レベルの調整値を前記メモリ手段に記憶する手段とを備えている。
【００１２】
本発明による送信レベル調整方法は、冗長構成をとる第１及び第２の無線送信機からなる無線装置に用いる送信レベル調整方法であって、
前記第１及び第２の無線送信機各々が、他系の再実装時に、自系及び他系各々の送信レベルの調整値を記憶するメモリ手段に記憶した前記自系及び他系各々の送信レベルの調整値をその再実装された他系に送信する処理と、自系の再実装時に、前記他系から送られてきた前記自系及び他系各々の送信レベルの調整値を前記メモリ手段に記憶する処理とを実行している。
【００１３】
本発明によるプログラムは、冗長構成をとる第１及び第２の無線送信機からなる無線装置において前記第１及び第２の無線送信機各々が実行するプログラムであって、
前記第１及び第２の無線送信機各々の中央処理装置に、他系の再実装時に、自系及び他系各々の送信レベルの調整値を記憶するメモリ手段に記憶した前記自系及び他系各々の送信レベルの調整値をその再実装された他系に送信する処理と、自系の再実装時に、前記他系から送られてきた前記自系及び他系各々の送信レベルの調整値を前記メモリ手段に記憶する処理とを実行させている。
【００１４】
すなわち、本発明の無線装置は、使用する無線送信機の送信レベル調整方式に関し、特に無線システムに高信頼性が要求され、無線送信機が並列運転等の冗長構成をとる場合、片側の無線送信機の取り出しや再実装に際しても、もう片側の無線送信機に記憶された調整情報から、後実装された無線送信機に調整値を提供して反映することによって、再調整が不要な送信レベル調整方式を提供することを特徴としている。
【００１５】
より具体的に説明すると、本発明の無線装置では、冗長構成の無線送信機が無線信号を生成して増幅している。それら無線送信機の出力する無線信号を合成する合成器は、無線送信機の出力する無線信号を出力端子の点において等振幅・同位相で合成し、無線装置の出力端子に出力する。
【００１６】
冗長構成の無線送信機は相互にデータ授受するデータバスにて接続されており、各々が実装されている無線装置上の実装位置を認識する実装位置情報、すなわち自らが０系統目の無線送信機か１系統目の無線送信機かを認識する実装位置信号の入力を受ける。また、冗長構成の無線送信機は、自らがマスタ機かスレーブ機かを認識及び報知するマスタスレーブ信号を出力し、その内容をもう片方の無線送信機に報知する。
【００１７】
さらに、冗長構成の無線送信機は実装位置が異なるのみで、その内部構成が同一であり、メモリと、データバス、マスタスレーブ信号、実装位置信号の情報とメモリからの情報とを受けかつ無線送信機が出力する送信レベルを制御する送信レベル制御信号を出力するＣＰＵとを有している。また、無線送信機は、無線信号を生成するための波形発生器と、送信レベル制御信号の値に基づいて波形発生器が生成する信号を減衰させる可変減衰器とを備えている。
【００１８】
上記のように、冗長構成の無線送信機は、無線装置における実装位置が異なるのみで、内部構成が同一である。無線送信機のＣＰＵは、メモリに記憶された自系統に対応するメモリアドレスのデータを読出して可変減衰器に反映するほか、実装位置信号とマスタスレーブ信号との状態を基にデータバスより受信した他系統の送信レベル設定値をメモリの指定されたアドレスに記憶させる。
【００１９】
また、無線送信機のＣＰＵは、自系統の起動時において、マスタスレーブ信号の状態によって、自系統及び他系統の送信レベル設定値をメモリから読取り、データバスを通じて他系統の無線送信機に情報を転送する。
【００２０】
本発明の無線装置では、無線装置に使用する無線送信機の送信レベル調整方式に関し、特に無線システムに高信頼性が要求され、無線送信機が並列運転等の冗長構成を有する無線装置において、片側の無線送信機の取出しや再実装に際しても、もう片側の無線送信機に記憶された調整情報から、後実装された無線送信機に調整値を提供し反映することによって、再調整が不要な送信レベル調整方式を提供することを可能としている。
【００２１】
つまり、本発明の無線装置では、冗長構成の無線送信機を備え、無線送信機のマスタ系の無線送信機に冗長系全ての出力レベル調整値を蓄積しているため、その値を転送し、運用時の値を反映することが可能となる。その際、本発明の無線装置では、調整値を自動的に反映することが可能であるため、送信レベル調整のためのサービス停止を伴わずに運用継続することが可能となる。
【発明の効果】
【００２２】
本発明は、上記のような構成及び動作とすることで、冗長構成の無線送信機の交換に際する再調整が不要で、かつ運用を停止することなく、送信レベルの調整を行うことができるという効果が得られる。
【発明を実施するための最良の形態】
【００２３】
次に、本発明の実施例について図面を参照して説明する。図１は本発明の一実施例による無線装置の構成を示すブロック図である。図１において、本発明の一実施例による無線装置は、冗長構成の無線送信機１，２と、合成器３とから構成されている。
【００２４】
無線送信機１，２は無線信号を生成して増幅する。合成器３は無線送信機１，２の出力する無線信号を出力端子３１の点において等振幅・同位相で合成し、無線装置の出力端子３１に出力する。無線送信機１，２は相互にデータ授受するデータバス１１０にて接続されている。
【００２５】
また、無線送信機１，２は、各々が実装されている無線装置上の実装位置を認識する実装位置情報、すなわち自らが０系統目の無線送信機か、１系統目の無線送信機かを認識する実装位置信号１３１，１３２の入力を受ける。無線送信機１，２は自らがマスタ機かスレーブ機かを認識及び報知するマスタスレーブ信号１２１，１２２を出力し、もう片方の無線送信機に報知する。
【００２６】
無線送信機１，２は各々同一のハードウエア構造を有しており、一つの無線信号の生成と増幅とを並列構成で行っている。無線送信機１，２の故障に際しては、別の新しい無線送信機を実装することによって運用が可能となる構成となっている。
【００２７】
無線送信機１，２で生成された無線信号は合成器３によって出力端子３１の端にて等振幅・同位相となるように合成され、無線送信機１，２の出力の２倍の振幅の無線信号を得ることができる。一つの無線信号の生成方法については、無線送信機１，２が信号同期を行い、無線信号を生成する必要があるが、同期方法及び生成方法については、本実施例には直接関係しないので、その説明を省略する。
【００２８】
合成器３はウィルキンソン型の合成器等によって構成することができる。ウィルキンソン型の合成器は、合成器３が接続する経路、（ｂ）から（ａ）及び（ｃ）から（ａ）の電気長が等しく構成された合成器である。
【００２９】
図２は図１の無線送信機１の構成を示すブロック図である。図２においては、無線送信機１における送信レベル調整とデータの反映とに関連する構成を示している。
【００３０】
無線送信機１は、メモリ１２と、上述したデータバス１１０、マスタスレーブ信号１２１，１２２、実装位置信号１３１の情報とメモリ１２からの情報とを受け、無線送信機１が出力する送信レベルを制御する送信レベル制御信号１０１を出力するＣＰＵ（中央処理装置）１１と、無線信号を生成するための波形発生器（ＷＧ）１３と、送信レベル制御信号１０１の値に基づいて波形発生器１３が生成する信号を減衰させる可変減衰器（ＡＴＴ）１４とを備えている。尚、図１の無線送信機２は図２に示す無線送信機１と同様の構成となっており、無線送信機１と同様の動作を行う。
【００３１】
無線送信機１に入力される実装位置情報１３１は、無線送信機１が実装される無線装置の実装位置、この場合には０系統目か、もしくは１系統目かを示す実装位置情報である。本実施例では、０系統目の実装位置情報を実装位置情報１３１とする。この実装位置情報１３１は、後述するメモリ１２に記憶され、自系統が参照すべき送信レベルの設定値のメモリアドレスに紐付ける情報として使用される。
【００３２】
図３は図１の無線送信機１の動作を示すフローチャートであり、図４は図２のメモリ１２の具体的な構成例を示す図である。これら図１〜図４を参照して本発明の一実施例による無線装置の動作について説明する。尚、無線装置の動作について無線送信機１の動作について説明するが、無線送信機２は無線送信機１と実装位置が異なるのみで、内部構成が同一であり、無線送信機１と同様の動作を行うので、その動作の説明は省略する。また、図３に示す処理動作はＣＰＵ１１がメモリ１２に格納されたプログラムを実行することで実現される。
【００３３】
無線送信機１が起動されると、ＣＰＵ１１はメモリ１２に記憶された自系統に対応するメモリアドレスのデータを読出し、そのデータを可変減衰器１４に反映し（図３ステップＳ１）、実装位置信号１３１と他系統からのマスタスレーブ信号１２２との状態を基に自系統がマスタか、スレーブかを判定する（図３ステップＳ２）。
【００３４】
ＣＰＵ１１は自系統がマスタであれば（図３ステップＳ３）、自系統及び他系統の送信レベル設定値をメモリ１２から読取り、その情報をデータバス１１０を通じて他系統の無線送信機２に転送する（図３ステップＳ４）。
【００３５】
一方、ＣＰＵ１１は自系統がスレーブであれば（図３ステップＳ３）、データバス１１０より受信した他系統の送信レベル設定値をメモリ１２の指定されたアドレスに記憶させ（図３ステップＳ５）、そのデータを可変減衰器１４に反映する（図３ステップＳ６）。
【００３６】
例えば、図４を参照すると、ＣＰＵ１１が実装位置信号１３１を抽出した無線送信機１は、自系統が出力すべき送信レベルを、メモリアドレス「０００００００Ａ」に記憶された値「００００１０００」を参照する。また、実装位置信号１３２を抽出した無線送信機２は自系統が出力すべき送信レベルを、メモリアドレス「０００００００Ｃ」に記憶された値「００００２０００」を参照する。
【００３７】
さらに、ＣＰＵ１１はマスタスレーブ信号１２１を他系統に出力し、他系統からマスタスレーブ信号１２２の入力を受ける。マスタスレーブ信号１２１，１２２とは、０系統目の無線送信機１と１系統目の無線送信機２との間の運用上のステータスを伝達する信号として使用される。
【００３８】
この信号ステータスとしては、先に実装された無線送信機がマスタ機としてメモリ値を他系統に反映することを認識する構成が好ましい。また、自系統及び他系統の両系が同時実装されている場合には、若番の実装番号に実装された無線送信機がマスタ機としてメモリ値を他系統に反映することを認識する構成が好ましい。
【００３９】
本実施例では、このような取り決めを行うことによって、同時マスタ化や同時スレーブ化等の異常状態によるシステム不具合を回避することができる。マスタ系の無線送信機が取り外された時には、スレーブ側の無線送信機が、新たに自系統がマスタと認識し、メモリ値を反映させるマスタとなることを認識する。
【００４０】
マスタスレーブ信号１２１，１２２は、各々の系統が他系統の無線送信機に、自らのステータスを報告することに使用する。また、マスタスレーブ信号１２１，１２２は、他系統のステータスを認識し、自らのステータスを報知するために使用される。通常起動時には、無線送信機に障害が発生しない限り、若番の系統がマスタとなるように設定されることが好ましい。
【００４１】
ＣＰＵ１１は、起動時のステータス及び他系に障害が発生した時のステータスを判断し、自らがマスタになるか、スレーブになるかの判断、マスタへのステータス変更、スレーブへのステータス変更及び他系へのステータスの報知を行う。信号の論理は、自系統及び他系統の両系がマスタとならない、自系統及び他系統の両系がスレーブにならないような回路構成をとるか、カード間通信によるソフトウェア調停等を行い、同時マスタ化や同時スレーブ化等の異常状態によるシステム不具合を回避する構成をとる必要がある。
【００４２】
マスタとして認識された無線送信機、ここでは無線送信機１をマスタとして考えると、ＣＰＵ１１は自らのマスタスレーブ信号１２１のステータスをマスタとして報知し、マスタスレーブ信号１２２がスレーブであることのステータスを認識した後、可変減衰値設定の転送をデータバス１１０にて行う。このデータ転送は、メモリ１２のアドレス、「０００００００Ａ」及び「０００００００Ｃ」の両者のデータを転送する。無線送信機１は自らの実装位置を実装位置信号１３１で判断し、参照する可変減衰値、ここではメモリアドレス「０００００００Ａ」の値「００００１０００」を可変減衰器１４（自装置からの出力）に反映させる。
【００４３】
スレーブとして認識された無線送信機、ここでは無線送信機２は自らが設定すべき可変減衰値を知るため、データバス１１０を経由して両系統の設定値の転送を受け、同じアドレス番号に記憶させる。この後、無線送信機２は、自らの実装位置を実装位置信号１３２で判断し、参照する可変減衰値、ここではメモリアドレス「０００００００Ｃ」の値「００００２０００」を出力に反映させる。
【００４４】
自系統が参照するメモリ値が明確になった後、ＣＰＵ１１はそのメモリ値に対応した送信レベルを得る可変減衰器１４へのデータ、送信レベル制御信号１０１を生成する。波形生成器１３は、図示せぬシステム上のユーザデータに基づいた無線変調波形を生成する。無線変調波形、すなわち無線信号は可変減衰器１４によってレベルの変動を受けた後、無線信号出力として出力される。
【００４５】
波形生成器１３はＤ／Ａ（ディジタル／アナログ）コンバータ等で、可変減衰器１４はピンダイオード素子等を用いた電子式の可変減衰器等によって構成することができる。また、可変減衰動作を波形生成器１３に含めて構成することも原理的には可能であるが、ここでは各々の機能が分離しているものとしている。
【００４６】
次に、本発明の一実施例による無線装置の動作について具体的に説明する。本発明の一実施例による無線装置は、通常の運用状態における冗長構成を有する無線送信機１，２を用いている。
【００４７】
無線送信機１，２は各々同じハードウェアで構成されているため、故障等に際して、別の新しい無線送信機を実装することによって運用を継続することができる。ここで、無線送信機１，２は、通常、その送信レベルが工場で調整されるため、無線装置本体の出荷時には無線特性規定に沿った送信レベルを有している。
【００４８】
しかしながら、無線送信機１，２の故障等に際しては、運用中に別の新しい無線送信機と差し替えて運用される場合がある。この場合、新しい無線送信機は単体もしくは別の無線装置で送信レベルが調整されているため、運用中の無線装置の内部損失等が考慮されていない送信レベルを出力することになる。ここでは運用中の無線送信機を無線送信機１、故障が発生して新たに実装された無線送信機を無線送信機２として説明する。
【００４９】
０系統及び１系統の両系の無線送信機が正常に運用されている場合には、実装位置信号１３１が実装位置信号１３２よりも若番であることから、無線送信機１がマスタ系統であると認識している。無線送信機１のメモリ１２には、実装された無線装置において、無線送信機１が定常出力を出力できる設定値「００００１０００」をメモリアドレス「０００００００Ａ」に有し、無線送信機２が定常出力を出力できる設定値「００００２０００」をメモリアドレス「０００００００Ｃ」に有している。通常の場合には、このメモリ値が無線送信機２にも反映されている。
【００５０】
無線送信機２が故障し、無線装置から取り外された時、無線送信機１はマスタスレーブ信号１２２の受信がないため、改めて、１系統目の無線送信機２が再実装された場合に自らが主導でスレーブ系にデータを反映すべきマスタ系統であることを認識する。
【００５１】
次に、無線送信機２が再実装された場合の動きについて説明する。無線送信機２は再実装後、マスタスレーブ信号１２１によって既にマスタ系統が存在していることを知り、自らをスレーブ系統であることを認識してマスタスレーブ信号１２２を無線送信機１に報知する。
【００５２】
無線送信機１はスレーブ系統が実装されたことを確認したため、データ転送の準備に入る。無線送信機１のＣＰＵ１１はデータバス１１０を使用して、メモリ１２に記憶されたメモリアドレス「０００００００Ａ」及び「０００００００Ｃ」のデータを無線送信機２に送出する。無線送信機２はメモリ値の送信を受けて、自らのメモリにメモリ値を反映させる。
【００５３】
続いて、無線送信機２は自らが出力すべき送信電力値を、実装位置信号１３２から「０００００００Ｃ」のデータを反映することを認識し、出力レベルの設定値「００００２０００」をその出力に反映させる。
【００５４】
このことによって、再実装された無線送信機２は、調整行為なしに、以前実装され故障が生じて既に取り外された古い無線送信機２の出力レベル設定値を継承し、それを出力に反映することができる。
【００５５】
このように、本実施例では、冗長系を有した無線装置において、冗長構成の無線送信機のうちのマスタ系の無線送信機に冗長系全ての出力レベル調整値を保持させているため、その保持している出力レベル調整値を新たに実装されたスレーブ系の無線送信機に転送することで、新たに実装されたスレーブ系の無線送信機に運用時の値を反映することができる。この場合、本実施例では、調整値を自動的に反映させることができるため、送信レベル調整のためのサービス停止を伴わずに運用を継続させることができる。
【００５６】
尚、本発明は、上記の実施例のようなマスタスレーブ構成だけでなく、３台以上の複数の無線送信機で運用される場合にもメモリ値とマスタスレーブ信号とを拡張することによって、上述した方法を適用することができる。この場合も、マスタスレーブ信号は、同時マスタ化や同時スレーブ化を回避する回路構成もしくはソフトウェア調停を有することが必要である。
【００５７】
また、本発明は、上記の実施例において、合成器３で無線送信機１，２からの無線信号出力を合成しているが、合成をせず、各無線送信機１，２が独立の系統であった場合にも、互いが実装される無線装置の内部損失の特性をメモリに記憶させることができるため、上述した方法を適用することができる。
【産業上の利用可能性】
【００５８】
本発明は、無線システムに使用する無線送信機の送信レベル調整方式に関し、特に無線システムに高信頼性が要求され、無線送信機が並列運転等の冗長構成を有する無線システムにおいて、片側の無線送信機の取出し・再実装に際しても、もう片側の無線送信機に記憶された調整情報から、後実装された無線送信機に調整値を提供して反映することによって、再調整が不要な送信レベル調整方式として提供可能である。
【図面の簡単な説明】
【００５９】
【図１】本発明の一実施例による無線装置の構成を示すブロック図である。
【図２】図１の無線送信機の構成を示すブロック図である。
【図３】図１の無線送信機の動作を示すフローチャートである。
【図４】図２のメモリの具体的な構成例を示す図である。
【符号の説明】
【００６０】
１，２  無線送信機
３  合成器
１１  ＣＰＵ
１２  メモリ
１３  波形発生器（ＷＧ）
１４  可変減衰器（ＡＴＴ）
３１  出力端子
１０１  送信レベル制御信号
１１０  データバス
１２１，１２２  マスタスレーブ信号
１３１，１３２  実装位置信号
【図１】
2008147722.tif 000003
【図２】
2008147722.tif 000004
【図３】
2008147722.tif 000005
【図４】
2008147722.tif 000006